(57)【特許請求の範囲】
【請求項１】
光を発生する光源と、
照明デバイスから光を放出する正面側と、
光窓の外部周縁を形成するエッジ構造であって、前記光窓を通過して、光が前記正面側に向かって送られ、前記エッジ構造は、使用時、前記送られた光に、前記光窓の外部周縁に沿って、前記光窓の外部周縁の全周に亘って第１のエッジ遷移を付与する、エッジ構造と、
前記送られた光に第２のエッジ遷移を付与する勾配エッジパターンを含むパターン化層であって、前記勾配エッジパターンが、前記第１のエッジ遷移に前記第２のエッジ遷移が重なって前記送られた光に付与されるように、前記光窓の外部周縁の全周に亘って、前記正面側から観て前記光窓の外部周縁を外側から内側に跨ぐ領域に配置されている、パターン化層と、
前記正面側と前記パターン化層との間に配置された拡散体であって、前記正面側から放出される光に第３のエッジ遷移を付与するために、前記第２のエッジ遷移の光を散乱する、拡散体と
を含む、照明デバイス。
【請求項２】
前記拡散体が、前記パターン化層と前記拡散体との間に空間を有して、前記パターン化層からある距離に配置されており、前記距離が１ミリメートル超である、請求項１に記載の照明デバイス。
【請求項３】
前記拡散体が、少なくとも５パーセントの送られる光のヘイズ率を付与する、請求項１又は２に記載の照明デバイス。
【請求項４】
前記拡散体が前記照明デバイスの前記正面側を形成する、請求項１乃至３の何れか一項に記載の照明デバイス。
【請求項５】
前記エッジ構造が、前記光源と前記正面側との間の光路内に配置されている、請求項１乃至４の何れか一項に記載の照明デバイス。
【請求項６】
前記パターン化層が、比較的低い通過性を有する第１の領域と、比較的高い通過性を有する第２の領域とを含み、前記勾配エッジパターンが、前記第１の領域と前記第２の領域との間に延びる、前記送られた光の光度遷移勾配を提供し、前記第１の領域と前記第２の領域との間の勾配エッジ幅が３〜１５ミリメートルの範囲内である、請求項１乃至５の何れか一項に記載の照明デバイス。
【請求項７】
前記パターン化層が、
前記光源からの光の少なくとも９０パーセントを吸収及び／又は反射する第１のパターン化材料と、
前記照明デバイスの前記正面側から前記第１のパターン化材料を被覆する第２のパターン化材料であって、前記勾配エッジパターンを形成する、第２のパターン化材料と
を含む、請求項１乃至６の何れか一項に記載の照明デバイス。
【請求項８】
前記第２のパターン化材料が前記照明デバイスの前記正面側の色に一致する色を有することで、前記正面側から見る場合に、前記第２のパターン化材料をマスクする、請求項７に記載の照明デバイス。
【請求項９】
前記勾配エッジパターンが、反射図形、半透明図形及び／又は吸収図形の分布を含み、前記図形の通過性、前記分布の密度及び／又は前記図形のサイズが、比較的低い通過性と高密度及び／又は大きいサイズとを有する第１の領域と、比較的高い通過性と低密度及び／又は小さいサイズとを有する第２の領域との間の前記勾配エッジパターンにわたって変化する、請求項１乃至８の何れか一項に記載の照明デバイス。
【請求項１０】
前記パターン化層が透明フォイルを含み、前記勾配エッジパターンが、前記照明デバイスの前記正面側とは反対側の、前記フォイルの裏側に印刷されている、請求項１乃至９の何れか一項に記載の照明デバイス。
【請求項１１】
前記光源と前記エッジ構造との間の光路内に配置されている光ガイドプレートを含み、前記光ガイドプレートが、前記光源の前記光を、前記照明デバイスの前記正面側に向かって放出する、請求項１乃至１０の何れか一項に記載の照明デバイス。
【請求項１２】
前記光ガイドプレートが、前記光ガイドプレートのエッジに配置され且つ前記光源のエミッタ表面に面する光進入面を含み、前記光進入面は、前記エミッタ表面から入射光を受け取り、且つ受け取った入射光の少なくとも一部を、前記光進入面を通じて、前記光ガイドプレートの内部に送り、前記光ガイドプレートは、前記光進入面に垂直な前面を含み、前記光ガイドプレートの前記内部は、前記光進入面からの入射光の送られた部分を案内し、且つ光を前記前面上に分配して、前記前面上から前記照明デバイスの前記正面側に向かって放出させる、請求項１１に記載の照明デバイス。
【請求項１３】
前記光ガイドプレートの前記前面に対して配置された輝度向上フォイルを含み、前記輝度向上フォイルが、前記光進入面に垂直な前記前面に沿った方向に配置された垂直隆起の隆起構造を含み、前記隆起構造は、送られた光を水平方向にコリメートし、前記輝度向上フォイルのエッジが、前記光進入面の側部に、前記前面に対して垂直に見て、前記エミッタ表面から少なくとも５ミリメートルの最小距離を有する切取部を含む、請求項１２に記載の照明デバイス。
【請求項１４】
請求項１乃至１３の何れか一項に記載の照明デバイスを含む光療法デバイスであって、前記照明デバイスが、前記照明デバイスの前記正面側から５０センチメートルの距離において、４６０〜４９０ナノメートルの波長範囲内の、２００ルクス超の光強度を提供する、光療法デバイス。
【請求項１５】
照明デバイスのエッジ構造のエッジ遷移をマスキングする方法であって、
前記照明デバイスの正面側から放出される光を発生するための光源を設けるステップであって、前記エッジ構造が、光窓の外部周縁を形成し、前記光窓を通過して光が前記正面側に向かって送られ、前記エッジ構造が、前記送られた光に、前記光窓の外部周縁に沿って、前記光窓の外部周縁の全周に亘って第１のエッジ遷移を付与する、ステップと、
前記光窓の外部周縁に対して配置される勾配エッジパターンであって、前記送られた光に第２のエッジ遷移を付与する勾配エッジパターンを含むパターン化層を設けるステップであって、前記光窓の外部周縁の全周に亘って、前記正面側から観て前記光窓の外部周縁を外側から内側に跨ぐ領域に配置されている前記勾配エッジパターンが、前記第１のエッジ遷移上に前記第２のエッジ遷移を重ねて前記送られた光に付与する、ステップと、
前記正面側と前記パターン化層との間に配置される拡散体を設けるステップであって、前記拡散体が、前記第２のエッジ遷移の光を散乱して、前記正面側から放出される光に第３のエッジ遷移を付与する、ステップと
を含む、方法。
【発明の詳細な説明】
【技術分野】
【０００１】
本開示は、光療法デバイスなどの照明デバイスに関する。本開示は、更に、照明デバイスのエッジ構造の周縁の背後に送られた光のエッジ遷移をマスキングする方法に関する。
【背景技術】
【０００２】
光療法は、対象者を所定の投与量の光に曝露することを含む。例えば、概日リズム障害を治療するために特定の周波数を有する光が用いられ得る。光療法デバイスが効果的となるには、通常、比較的高い光出力が必要である。眩惑を防ぐために（又は目の快適性を向上するために）、光は、例えば、光ガイドプレートを用い、デバイスの比較的広い面にわたって分配され得る。しかしながら、特に、高光出力において動作する際、光ガイドのエッジを含むデバイスの構成要素の任意のエッジが、デバイスから放出される光にエッジ遷移（影）を生じさせる場合がある。このような影及び鋭いエッジ遷移は、ユーザが自らの網膜にゴースト（残）像を感じる原因となる場合がある。従って、目の快適性を向上するために、勾配光源（gradient light source）を提供すること、即ち、高輝度ディスプレイと比較的低い通過性を有する第１の領域との間の鋭い遷移をマスキングすることが所望される。
【０００３】
エッジ遷移をマスクするために、ディスプレイ表面のエッジにおいて明から暗への遷移を提供するため、照明デバイスの出口表面の勾配パターンが用いられ得る。例えば、国際公開第２０１１１７１１４号は、ディスプレイモジュールと、ディスプレイモジュールの前方に設けられたフロントパネルと、フロントパネル上に形成されたパターンとを含むディスプレイ装置について記載している。フロントパネルのエッジに近い方のパターンの一部が、パターンの他の部分よりも低い光の通過を可能にする。しかしながら、非常に高輝度の光源の滑らかなエッジ遷移を付与するには、パターンがかなりの距離にわたって延在する必要があり、これにより、デバイスの総光出力の低下に繋がる場合がある。
【発明の概要】
【発明が解決しようとする課題】
【０００４】
従って、光出力窓のエッジ遷移のマスキングを、その光出力効率の犠牲を最小限にして向上することが望まれる。
【課題を解決するための手段】
【０００５】
本開示の第１の態様は、光を発生するように構成された光源を含む照明デバイスを提供する。照明デバイスは、照明デバイスから光を放出するように構成された正面側を含む。照明デバイスは、光窓の外部周縁を形成するエッジ構造を含み、光窓を通過して、光が正面側に向かって送られる。エッジ構造は、使用時、送られた光に、エッジ構造の周縁に沿って、放出される光の第１のエッジ遷移を付与する。第１のエッジ遷移は比較的鋭い遷移、例えば、光窓のエッジに比較的高いコントラストを与えるものであり得る。照明デバイスは、送られた光に第２のエッジ遷移を付与するように構成された勾配エッジパターンを含むパターン化層を含む。勾配エッジパターンは、第１のエッジ遷移に第２のエッジ遷移を重ねるためにエッジ構造の周縁に対して配置されている。第２のエッジ遷移は、比較的滑らかな遷移、例えば、エッジに、第１のエッジ遷移よりも低いコントラストを与えるものであり得る。照明デバイスは、正面側とパターン化層との間に配置された拡散体を含む。拡散体は、正面側から放出される光に第３のエッジ遷移を付与するために、第２のエッジ遷移の光を散乱するように構成されている。拡散体は、光を散乱することによって、勾配エッジパターンの第２のエッジ遷移を滑らかにし、及び／又はマスクするのを補助することができる。
【０００６】
勾配パターンによって、送られた光の光度は暗から明に変化され、エッジの部分マスキングを提供する。拡散体によって、勾配する光度を有する光は、光出力効率の犠牲を最小限にして指向的に散乱される。光度変化と指向性散乱とを組み合わせることによって、エッジ遷移は、勾配パターン又は拡散体の個々の効果に基づき予想されるものに比べて、より緩やかとなることが判明している。
【０００７】
エッジ遷移を付与するために、パターン化層は、異なる光度の光を勾配エッジパターンにわたって通過するように構成され得る。好ましくは、パターン化層は、比較的低い通過性を有する第１の領域と、比較的高い通過性を有する第２の領域とを含み、勾配エッジパターンは、第１の領域と第２の領域との間に延びる、送られた光の光度遷移勾配を提供するように構成される。例えば、層の比較的低い通過性を有する第１の領域を通過する光度は、第２の領域に存在する全光度の３０％未満であるか、好ましくは２０％未満であるか、より好ましくは１０％未満であるか、又は更には全光度の０％である、即ち、光が、勾配エッジの比較的低い通過性を有する第１の領域において完全に遮断されることが好ましいことが判明している。勾配エッジを最小限の幅にわたって提供することによって、滑らかな遷移が実現され得る。その一方で、勾配エッジが広過ぎる場合、効率が低下する可能性がある。拡散体の効果により、このような広いエッジは必要とされない。従って、２〜２０ミリメートルの範囲、好ましくは３〜１５ミリメートルの幅を有する勾配エッジを提供することが有利であることが判明している。特に、殆どの光が遮断されるべき部分において、送られる光の十分な変化を提供するために、パターン化層は、光の大きい割合、例えば、少なくとも８０％、少なくとも９０％、少なくとも９５％、少なくとも９９％、又は更にそれを超えて吸収及び／又は反射するための第１の材料を含み得る。その一方で、勾配エッジを形成する第２の材料は、より低い吸収／反射を有し得る異なる材料であり得る。第２の材料は、照明デバイスの正面側の色と一致する色を有することで、パターン化層の材料をマスクし得る。例えば、第１の材料は、最大の吸収を提供するために黒とすることができ、正面側に面する第２の材料は、デバイスの白色の正面側に合致する白とすることができる。勾配エッジパターンは、例えば、反射図形、半透明図形及び／又は吸収図形の分布を含み得る。パターンにわたって図形の密度及び／又はサイズを変化させることによって、単位表面当たりの通過量を変化させることができる。パターン化層を生成するための１つの態様は、パターンを透明フォイルに印刷することであろう。照明デバイスの表側とは反対側の、フォイルの裏側にパターンを印刷することによって、正面側からのパターンの外観はより光沢があり且つ滑らかになり得る。
【０００８】
拡散又は散乱は、放射ビームの空間的分布が変化するプロセスである。拡散を定量化するための１つの態様は、全通過に対する拡散通過の比率を用いることである。「ヘイズ」又は「ヘイズ率」としても知られるこの比率は、例えば、百分率として表され得る。例えば、完全透明（非散乱）窓は０％のヘイズ率を有し得る一方で、完全（ランバート）拡散体は１００％のヘイズ率を有し得る。エッジ遷移及び勾配パターンの十分なマスキングを行うには、拡散体を、少なくとも１０％、好ましくは少なくとも２５％、より好ましくは少なくとも４０％のヘイズ率を付与するように構成することが望ましいことが判明している。１００％拡散体は、ランバート通過率、即ち、完全に等方性の輝度を有する理論的に完全に平坦な表面を生じさせ得ることに留意されたい。しかしながら、光療法デバイスにおいて、光がユーザに向かって導かれる必要がある一方で、他の方向に進む光は無駄であると考えられ得ることから、完全に等方性の光度は効果的ではないであろう。従って、好ましくは、ヘイズは、好ましくは最大で８０％、より好ましくは最大で６０％、例えば、５０％である。拡散体を組み込んで照明デバイスの表側を形成することによって、より小型のデバイスが得られ得る。
【０００９】
代わりに又は加えて、エッジ遷移を向上するために、拡散体は、送られた光の角度分布を広げることができる。広がりを定量化するための１つの態様は、拡散体がある及びない状態で光のエテンデューを測定することである。エテンデューは、例えば、表面と放射の立体角との積と近似され得る。光の十分な広がりを提供するために、エテンデューの増加を、少なくとも５％、好ましくは少なくとも１０％、より好ましくは少なくとも２０％提供するように拡散体を構成することが望ましいことが判明している。完全な拡散体は、ランバート通過率、即ち、完全に等方性の輝度を有する理論的に完全な白色表面を生じさせ得ることに留意されたい。しかしながら、光療法デバイスにおいて、光はユーザに向かって導かれる必要があるため、完全に等方性の光度は効果的ではないであろう。従って、好ましくは、エテンデューの増加は、好ましくは最大で１００％（即ち、光が送られる立体角の２倍）、より好ましくは最大で５０％である。拡散体を組み込んで照明デバイスの表側を形成することによって、より小型のデバイスが得られ得る。
【００１０】
拡散体とパターン化層との間に空間を設けることによって、エッジ遷移は更に一層向上され得る（セットバック）。加えて、より大きい空間は、勾配パターン自体の細部もマスクすることが分かっている。これにより、滑らかな遷移を維持しつつも、比較的粗いパターンが用いられることを可能にする。粗いパターンを可能とすることによって、パターン化層の製造が簡略化され得る。所望の効果をもたらすには、パターン化層と拡散体との間に少なくとも０．５ミリメートル、より好ましくは少なくとも１．０ミリメートル、更により好ましくは少なくとも１．５ミリメートルの空間を有することが好ましいことが判明している。その一方で、大き過ぎる距離は勾配パターンの遷移を完全に無効にする可能性がある。従って、最大で５センチメートル、より好ましくは最大で２センチメートル、更により好ましくは最大で１センチメートル、例えば、１．９〜４．５ｍｍの空間を有することが好ましいことが判明している。
【００１１】
例えば、光を表面全体に均一に分散させるために光ガイドプレートが使用され得る。通常、光ガイドプレートは、光を、光源から照明デバイスの正面側に向かって放出するように構成されている。光をプレート内に放射するために、光源は、プレートのエッジに、プレートの前面に垂直に配置され得る。ユーザへの効果的な光通過を向上するために、いわゆる輝度向上フォイルが使用され得る。輝度向上フォイルは、送られた光を定められた方向にコリメートするための隆起構造を有する。デバイスの中心で照度の最大の増加を有するために、２つの輝度向上フォイルは、フォイルが互いに垂直にコリメートされるように配置される。実際、配置は、１つのフォイルでは水平方向に、もう一方のフォイルでは垂直方向に適用される。しかしながら、フォイルの隆起構造は、光源が位置するフォイルのエッジに、目に見える長尺状の光点（更には「光レーン（light lane）」と呼ばれる）を生じさせる場合があることが判明している。これは、エッジ遷移をマスキングする本目的に不利に影響する場合がある。フォイルのコリメーティング効果をなおも最大化しつつ、光レーンの形成を相殺するために、フォイル内の光源の位置に小さい切取部が設けられ得る。光源位置の十分なマスキングを行うために、切取部を、光源から少なくとも３ミリメートル、好ましくは少なくとも５ミリメートル、より好ましくは少なくとも１０ミリメートル、例えば１２ミリメートルの最低距離に設けることが好ましい。
【００１２】
有利には、本構成は、例えば、光療法デバイスにおいて適用され得る。このようなデバイスは、通常、比較的高い光強度、例えば、光ガイドプレートの前面から２０センチメートルの距離において５，０００ルクス超、又は更により高い、例えば、前記位置において７，０００ルクス超を提供するように構成されている。エッジマスキングによって及び目に見える光点を減らすことによって実現される利点が、全体的な製品の外観及びデバイスの目の快適性を向上させ得ることは理解されよう。
【００１３】
第２の態様において、本開示は、照明デバイスのエッジ構造のエッジ遷移をマスキングする方法を提供する。当該方法は、光を発生させるための光源を設けるステップを含む。光は照明デバイスの正面側から放出される。エッジ構造は、光窓の外部周縁を形成し、光窓を通過して、光が正面側に向かって送られる。エッジ構造は、送られた光に、エッジ構造の周縁に沿って、前記エッジ遷移を付与する。前記方法は、エッジ構造の周縁に対して配置されて、送られた光に、第２のエッジ遷移を付与する勾配エッジパターンを含むパターン化層を設けるステップを更に含む。勾配エッジパターンは、第１のエッジ遷移上に第２のエッジ遷移を重ねる。前記方法は、正面側とパターン化層との間に拡散体を設けるステップを更に含む。拡散体は、第２のエッジ遷移の光を散乱して、正面側から放出される光に第３のエッジ遷移を付与する。前記方法は、本明細書中に記載されるデバイスにおいて適用され得ることは理解されよう。他の用途も想定され得る。
【００１４】
本開示の装置、システム及び方法のこれらの及び他の特徴、態様及び利点は以下の説明、添付の特許請求の範囲及び添付の図面からより良く理解されるであろう。
【図面の簡単な説明】
【００１５】
【図１】照明デバイスの一実施形態の概略断面図を示す。
【図２Ａ】右手側に照明デバイスの種々の層、左手側にエッジにおける光度の概略グラフを示す。
【図２Ｂ】右手側に照明デバイスの種々の層、左手側にエッジにおける光度の概略グラフを示す。
【図２Ｃ】右手側に照明デバイスの種々の層、左手側にエッジにおける光度の概略グラフを示す。
【図３Ａ】例示的な勾配エッジパターンを示す。
【図３Ｂ】パターン化層の一実施形態のサブ層の例を示す。
【図３Ｃ】パターン化層の一実施形態のサブ層の例を示す。
【図４Ａ】パターン化層の概略断面図を示す。
【図４Ｂ】パターン化層の概略断面図を示す。
【図４Ｃ】パターン化層の概略断面図を示す。
【図５】光療法デバイスの一実施形態の概略断面側面図を示す。
【図６Ａ】光源周囲の詳細断面側面図を示す。
【図６Ｂ】光療法デバイスの一実施形態の概略断面正面図を示す。
【図７Ａ】輝度向上フォイルの概略実施形態を示す。
【図７Ｂ】可視光レーンをマスキングする効果を示す。
【図８】光療法デバイスの上部分の断面側面図を示す。
【図９Ａ】光療法デバイスの実施形態の斜視図を示す。
【図９Ｂ】光療法デバイスの実施形態の斜視図を示す。
【発明を実施するための形態】
【００１６】
特に定義しない限り、本明細書中に使用される全ての用語（技術的及び学術的用語を含む）は、本明細書及び図面に関連して読まれた際に、本発明が属する技術分野の当業者が一般に理解するものと同じ意味を有する。一般的に使用されている辞書で定義されるものなどの用語は、関連技術に関連してそれらの意味に合致する意味を有するものと解釈されるべきであり、本明細書中に特にそのように定義されない限り、理想化された意味又は過度に形式的な意味で解釈されないことは更に理解されよう。場合によっては、本システム及び方法の記載を曖昧にしないために、良く知られたデバイス及び方法の詳細な説明は省略され得る。特定の実施形態を説明するために使用される専門用語は、本発明を限定することを意図するものではない。文脈で明確に記載されない限り、本明細書で使用する場合、単数形「１つの（a）」、「１つの（an）」及び「その（the）」は、複数形も含むことを意図している。用語「及び／又は」は、関連の、列挙される物品の１つ以上の一切の組み合わせを含む。用語「含む（comprises）」及び／又は「含んでいる（comprising）」は、記載される特徴の存在を示すが、１つ以上の他の特徴の存在又は追加を排除しないことは理解されよう。方法の特定のステップが別のステップに続くと記載される場合、特に明記されない限り、そのステップは、前記他のステップに直接追従することができるか、又は特定のステップを実施する前に１つ以上の中間ステップが実施され得ることは更に理解されよう。同様に、構造又は構成要素間の接続について記載されている場合、特に明記されない限り、この接続は、直接設けられても、中間構造又は構成要素を介して設けられ得ることは理解されよう。本明細書中で言及される全ての刊行物、特許出願、特許及び他の参考文献は、それらの全体が参照により援用される。矛盾する場合、定義を含めて本明細書が優先される。
【００１７】
本発明は、以下、本発明の実施形態が示される添付の図面を参照しながらより詳細に記載される。本発明は、しかしながら、多くの異なる形態で具現化され得、本明細書中で説明する実施形態に限定されるものと解釈されるべきではない。むしろ、これらの実施形態は、本開示が徹底的且つ完全であり、本発明の範囲を当業者に完全に伝えるために提供されるものである。例示的実施形態の記載は、本明細書全体の一部であると考えられるべきである添付の図面と共に読まれることが意図されている。図面において、システム、構成要素、層及び領域の絶対的及び相対的なサイズは明確化のため誇張されている場合がある。実施形態は、本発明の場合により理想的な実施形態及び中間構造の概略図及び／又は断面図を参照して記載される場合がある。本明細書及び図面において、同じ数字は、全体を通して同じ要素を意味する。相対的な用語及びその派生語は、そこで記載されている又は説明されている図面に示される向きを意味するものと解釈されるべきである。これらの相対的な用語は、記載の利便性のためであり、特に明記しない限り、システムが特定の向きにおいて構成される又は動作されることを必要とするものではない。
【００１８】
図１は、照明デバイス１００の一実施形態の概略断面図を示す。
【００１９】
一実施形態において、照明デバイス１００は、光Ｌ０を放出するように構成された光源１を含む。本開示は、高出力光源１を備える光デバイスの特定の利点を提供することは理解されよう。一実施形態において、光源１は、回路基板７上に実装されている。熱害を防止するために、回路基板７は側部反射器４とヒートシンク８との間に配置されることが好ましい。例えば、ヒートシンクプレート８は、光源１によって生成された熱を回路基板７から遠ざかる方に伝えるように構成されている。代わりに又は加えて、回路基板７はそれ自体がヒートシンクとしても機能し得、例えば、ヒートシンクが回路基板７に組み込まれ得る。一実施形態において、光源１は、光を放出するように構成されたエミッタ表面を含む。エミッタ表面は、例えば、殆どの光が放出される方向を決定し得る。好ましくは、本開示で使用されるエミッタ表面は光を効率的に案内するために実質的に平坦であるが、他の形状も可能である。例えば、ドーム形状が使用され得る。
【００２０】
一実施形態において、照明デバイス１００は光ガイドプレート２を含む。光ガイドプレート２は、光ガイドプレート２のエッジに配置された光進入面２ａを含む。好ましくは、光進入面２ａは、エミッタ表面１ａに面するように配置されている。光進入面２ａは、エミッタ表面１ａから入射光を受け取り、且つ受け取った入射光の少なくとも一部を、光進入面２ａを通じて光ガイドプレート２の内部２ｂへと送るように構成されている。光ガイドプレート２の内部２ｂは、典型的には、固体の透明本体からなり、例えば、プラスチック又はガラスを含む。光ガイドプレート２において、光は、主に、プレートの内部を、例えば、内部反射によって運ばれる。特に、示される実施形態において、光ガイドプレート２は、光進入面２ａに垂直な前面２ｃを含み、光ガイドプレート２の内部２ｂは、光進入面２ａからの入射光の送られた部分を案内し、且つ光を前面２ｃ上に分配して、そこから放出させるように構成されている。図の光線は単に概略的に描かれていることに留意されたい。実際には、光は、例えば、光ガイドプレートの内部における内部反射によって様々な方向に分配され得る。また、プレートの正面側から放出される光は指向性分布を有し得る。
【００２１】
一実施形態において、光ガイドプレート２は、間に絶縁ギャップを有して、エミッタ表面から距離を置いて配置されている。光チャンバ又は冷却ギャップとも呼ばれる絶縁ギャップは、光源１から光ガイドプレート２への伝熱を軽減、即ち、低下／減少するのを促進し得る。絶縁ギャップは、例えば、エアギャップ、他のガス、又は更には真空を含み得る。絶縁ギャップ内において、他の透明絶縁材料も想定され得る。ギャップの代わりに、光源１は、また、例えば、フラットトップＬＥＤを用いて光ガイドプレート２に対して配置され得る。これにより、光伝達効率を向上させることができるが、光ガイドプレートの加熱の原因となる可能性もある。
【００２２】
一実施形態において、照明デバイスは、照明デバイス１００から光を放出するように構成された正面側３１を含む。本実施形態において、正面又は光出口面は拡散トランスミッタ１０によって形成されている。これは、デバイスがオフにされているとき、即ち、光を生成していないときにもデバイス内部の構造又はパターンをマスキングするという利点を有し得る。当然、「正面」側３１の定義は任意であり、通常使用における光の方向を示すために単に使用されるものである。代わりに又は加えて、光は、デバイスの複数の側から、例えば、後部又は側部からも放出され得る。エッジ遷移をマスキングする原理は、デバイスから出る光の複数の出口窓にも適用され得る。
【００２３】
一実施形態において、照明デバイス１００は、光窓１５ｗの外部周縁１５ｅを形成するエッジ構造１５を含み、光窓１５ｗを通過して、光が正面側３１に向かって送られる。一実施形態において、エッジ構造１５は、光源１と正面側３１との間の光路内に配置されている。例えば、エッジ構造１５は、光ガイドプレート２及び／又は他の構成要素の層を保持するための、クランプなどの構成要素によって形成され得る。代わりに又は加えて、エッジ構造は、また、光ガイドプレート２自体のエッジによって形成され得る。代わりに又は加えて、エッジ構造は、また、光源自体のエッジによって形成され得る。エッジ構造１５は、使用時、エッジ構造１５の周縁１５ｅの背後に放出された光に、第１のエッジ遷移Ｌ１、例えば、鋭いエッジ又は影を生じさせる。
【００２４】
一実施形態において、照明デバイス１００は、パターン化層１１を含む。一実施形態において、パターン化層１１は、エッジ構造１５と、デバイスの正面側３１との間に配置されている。或いは、好ましくはないものの、パターン化層は、また、エッジ構造１５と光源との間に配置され得る。その場合、光がエッジに当たる前にパターンＬ２が生成される。一実施形態において、パターン化層１１は、勾配エッジパターン１１ｇを含み、勾配エッジパターン１１ｇは、勾配エッジパターン１１ｇの背後に送られた光に第２のエッジ遷移Ｌ２を生じさせるように構成されている。示される実施形態において、勾配エッジパターン１１ｇは、送られた光に第２のエッジ遷移Ｌ２を重ねるために、エッジ構造１５の周縁１５ｅに対して構成されている。このようにして、第１のエッジ遷移による平滑化が、第２のエッジ遷移によって更に滑らかにされ得る。
【００２５】
一実施形態において、照明デバイス１００は、正面側３１とパターン化層１１との間に配置された拡散体１０を含む。拡散体１０は、第２のエッジ遷移Ｌ２からの光を散乱し、正面側３１から放出される光に第３のエッジ遷移Ｌ３を生じさせるように構成されている。勾配エッジパターン１１ｇの第２のエッジ遷移Ｌ２からの光の散乱により、可視エッジの更なる平滑化／マスキングを生じさせ得る。
【００２６】
一実施形態において、拡散体１０は、間に間隔を有して、パターン化層１１から距離Ｄ１に配置されている。例えば、ぼかしを向上させるには、距離Ｄ１は、好ましくは０ミリメートル超、より好ましくは０．１ｍｍ超、更により好ましくは１ｍｍ超、例えば１．９ｍｍである。一実施形態において、拡散体１０は、拡散体１０を通過する光のヘイズ（拡がり）を増加するように構成されている。例えば、光のヘイズ又は拡散は、拡散体１０を通過した結果、少なくとも１０パーセント増加され得る。一実施形態において、拡散体１０は、少なくとも１ミリメートル、例えば、少なくとも２ミリメートルの厚さを有する。一実施形態において、拡散体１０は照明デバイス１００の正面側３１を形成する。或いは、他の構成要素が正面に配置される。別の実施形態（図示せず）において、勾配パターンは、拡散体の裏側に直接印刷され、即ち、Ｄ１＝０ｍｍである。
【００２７】
一実施形態において、照明デバイス１００は、光源１とエッジ構造１５との間の光路内に配置された光ガイドプレート２を含む。例えば、光ガイドプレート２は、光源１から照明デバイス１００の正面側３１に向かって光を放出するように構成されている。一実施形態において、照明デバイス１００は、１つ以上の輝度向上フォイル６ｖ、６ｈを含む。フォイル６ｖ、６ｈは、出射光を少なくとも一部コリメートするために、光ガイドプレート２の前面に対して取り付けられることが好ましい。任意選択的に、フォイル６ｖは切取部を含み得、これについては図７を参照して後に説明される。
【００２８】
図は、照明デバイス１００内のエッジ構造１５の通過光のエッジ遷移Ｌ１をマスキングするより一般的な原理を示すことは理解されよう。一実施形態において、方法は、照明デバイス１０から光を放出するための正面側３１を設けるステップを含む。例えば、エッジ構造１５は光窓１５ｗの外部周縁１５ｅを形成し、光窓１５ｗを通過して、光が正面側３１に向かって送られる。例えば、エッジ構造１５は、エッジ構造１５の周縁１５ｅの背後に送られた光にエッジ遷移Ｌ１を生じさせる。一実施形態において、方法は、エッジ構造１５とデバイスの正面側３１との間にパターン化層１１を設けるステップを含む。パターン化層１１は、勾配エッジパターン１１ｇの背後に送られた光に第２のエッジ遷移Ｌ２を生じさせるための勾配エッジパターン１１ｇを含む。勾配エッジパターン１１ｇは、送られた光に第２のエッジ遷移Ｌ２を重ねることによって第１のエッジ遷移Ｌ１を滑らかにする。一実施形態において、方法は、正面側３１とパターン化層１１との間に拡散体１０を設けるステップを含み、拡散体１０は、第２のエッジ遷移Ｌ２からの光を散乱して、正面側３１から放出される光に第３のエッジ遷移Ｌ３を生じさせ、光を散乱することによって、勾配エッジパターン１１ｇの第２のエッジ遷移Ｌ２を滑らかにする。
【００２９】
図２Ａ〜図２Ｃは、右手側に照明デバイスの種々の層、左手側に矢印Ａ−Ａによって示される距離におけるエッジの光度「Ｌ」の概略グラフを示す。光度は、例えば、カンデラ毎平方メートル（ｃｄ／ｍ２）の単位で測定され得る。
【００３０】
図２Ａは、右側に示される、即ちエッジマスキングのないエッジ構造１５の周縁エッジ１５における光度Ｌの例示的なグラフを左側に示す。勾配エッジがないため、最大光度Ｌｌから最小光度Ｌｄへの遷移の幅Ｇ１は事実上ゼロとなり得る。周縁１５ｅ内の光窓１５ｗにおける光度Ｌｌは１００％、即ち、全光度に設定される。理論では、例えば、勾配遷移のない黒色フォイルは、エッジ遮蔽（edge hiding）が最小である最大コントラストのエッジを生成し得る。黒色フォイルは、全ての環境光を吸収し、生成された光が穴のみを通ることを可能にし得る。エッジコントラストを低減するため、例えば、白色フォイルが使用され得る。白色フォイルは、例えば、ある量の環境光を反射する一方で、生成された光が穴のみを通ることを可能にし、例えば、デバイスの内部構造を隠し得る。その結果、フォイル表面（Ｌｌ）とパネル輝度（Ｌｄ）との間の輝度差の絶対的段差（absolute step）を最小にすることによってエッジのコントラストが削減され得る。しかしながら、結果は環境の照明条件に依存する。絶対的な暗闇において、この効果は０％である。非常に明るい環境条件及び光パネルの低減された輝度において、この効果は１００％である可能性がある。実際には、この効果は、デバイスの「暗」部分の光度Ｌｄを、全光度Ｌｌの約１０％まで上昇させることが予想される。フォイルの内部は、なおもデバイスの内部における光の漏れに起因するアーチファクトを隠すために光密に作製され得ることに留意されたい。実際には、これは、例えば、内部の黒色塗料によって実施され得る。
【００３１】
図２Ｂは、エッジ構造の正面にパターン化層１１が導入されること以外は図２Ａに類似する。この実施形態においても、ある量の環境光が、例えば白色フォイルによって反射され得る。加えて、放出された光は、密度勾配に応じて、勾配エッジを部分的に通過する。
【００３２】
一実施形態において、パターン化層１１は、比較的低い通過性１１ｄを有する第１の領域と、比較的高い通過性１１ｌを有する第２の領域とを含む。一実施形態において、パターン化層１１は、照明デバイス１００が使用されている際の、パターン化層１１の光通過を決定するように構成されている。一実施形態において、比較的低い通過性１１ｄを有する第１の領域内を通過した光の光度Ｌｄは、比較的高い通過性１１ｌを有する第２の領域を通過した光度Ｌｌの３０％未満である。一実施形態において、勾配エッジパターン１１ｇは、第１の領域と第２の領域との間に、送られた光の光度遷移勾配１１ｔを提供するように構成されている。一実施形態において、比較的低い通過性１１ｄを有する第１の領域と、比較的高い通過性１１ｌを有する第２の領域との間の勾配エッジ幅Ｇ２は、３〜１５ミリメートルの範囲内である。一実施形態において、勾配エッジ幅の表面は総表面の３〜３０％である。
【００３３】
図２Ｃは、拡散体１０（効果を説明するためにずらして一部重ねている）がパターン化層１１の正面に導入されること以外は図２Ｂに類似する。拡散体１０は、以下の効果、即ち、主要光の細部（例えば、光ガイドプレート上のドットパターン）をマスキングすること、勾配エッジのパターンをマスキングすること、暗から明への遷移を緩やかにすることの１つ以上を有し得る。加えて、拡散体上における環境光の反射により、デバイス全体において輝度を均一に上昇させることによって、相対的な輝度の段差を低減し得る。この程度は、拡散体の反射特性次第であり得る。代わりに又は加えて、拡散体から勾配フォイルまでの距離（セットバック）を拡大することによって、遷移の遮蔽効果及びぼかし効果を増加させることができる。この距離は、設計の自由度によって制限される場合がある。代わりに又は加えて、散乱材料の半透明性を低減する（より乳状にする）ことによって、遷移の遮蔽効果及びぼかし効果が増加され得る。通常、半透明性の増加には光吸収の増加が伴うため、半透明性は、勾配を増加するために使用され得る利用可能な光の量によって制限される場合がある。
【００３４】
勾配遷移の幅は、幾つかのパラメータに依存する場合がある。例えば、要求される光像の（認知的）滑らかさである。ここで滑らかさは、例えば、輝度遷移／ｍｍ（上昇及び／又は低下）と定義される。勾配も幾らかの光を吸収し得るため、幅は、遷移を実施するために利用可能な光の量によっても決定され得る。実際には、勾配部分の表面は３〜３０％の範囲内で選択されることが好ましい。
【００３５】
勾配エッジの遷移は、幾つかのパラメータに依存する場合がある。例えば、白色最上層は環境光を既に反射しているため、理論上の勾配差は既に反射されている光の割合に等しくなり得る。実際には、外側のパターンの密度は約１０％であり得る。目は非常に僅かな輝度の差にあまり敏感でないため、実際には、内側（光側）のパターンの相対的な隙間は約８０％であり得る。目はこれらの差を判断することができないため、例えば、このような最小輝度から最大輝度までの遷移は任意であり得る。一実施形態において、遷移は対数的である。一実施形態において、遷移は１０％〜８０％の範囲である。線形の遷移も可能である（図２Ｂの破線を参照のこと）。他の遷移も可能である。
【００３６】
図３Ａは、例示的な勾配エッジパターン１１ｇを示す。一実施形態において、勾配エッジパターン１１ｇは、反射及び／又は半透明及び／又は吸収図形１１ａの分布を含む。一実施形態において、比較的低い通過性１１ｄ、低密度及び／又は小さいサイズを有する第１の領域と、比較的高い通過性１１ｌ、高密度及び／又は大きいサイズを有する第２の領域との間の勾配エッジパターン１１ｇ全体において、分布の密度及び／又は図形のサイズ及び／又は図形の通過性は変化する。例えば、勾配エッジはフォイルに印刷されたドットによって生成され得る。勾配は、例えば、ドットサイズの変化、ドット密度の変化（例えば、同じドットサイズの）、又はこれらの組み合わせの１つ以上によって実現され得る。その結果、フォイルの白色表面及び／又は不通過から完全に通過までの勾配幅Ｇ２（勾配領域の幅）によって、エッジ上の遷移の輝度低下／ｍｍが低減され得る。
【００３７】
パターンの色は白であることが好ましい。白色表面は環境光の反射を促進する。白色ラッカーは、典型的には半透明である（例えば、黒は光密である）ため、白色ドットは裏側からの光の急な遷移を防止する。好ましくは、ドットのサイズは不可視とすべきである。従って、ドットのサイズは、ドットが肉眼で見えないように選択され得る。これは、解像度及びユーザまでの距離次第であり得る。好ましいパターンは、１０〜１００ｃｍの距離用に最適化されている。人間の眼の解像度は文献で見ることができ、約０．３分角である。デバイスの頂部に適用された拡散体と強い相互作用があり得ることに留意されたい。一実施形態において、ドットの直径は０〜２ｍｍの間で変化する。最小ドットサイズは、適用される製造方法、例えば、シルクスクリーン印刷によって決定され得る。勾配効果を得るために、ドットのパターンの代わりに又は加えて、他の変化形態も可能である。例えば、一実施形態において、勾配エッジパターンは、同軸線の集合体を含み、線の間隔及び／又は通過性はパターンの勾配距離にわたって異なる。
【００３８】
図３Ｂ及び図３Ｃは、パターン化層の一実施形態の例示的なサブ層を示す。図３Ｂは、デバイスの内部からの光の漏れを防ぐ光遮断層１１ｂの一例を示す。図３Ｃは、勾配遷移を提供するための例示的な勾配パターン層１１ｗを示す。両層はパターンを示すために黒色で表示されているが、実際の色は異なり得る。一実施形態において、パターン化層１１は、光源１からの光Ｌ０の少なくとも７０パーセントを吸収する及び／又は反射するように構成された第１のパターン化材料１１ｂを含む。例えば、黒色材料がこのために使用され得る。別の又は更なる実施形態において、パターン化層１１は、照明デバイス１００の正面側３１から第１のパターン化材料１１ｂを被覆する第２のパターン化材料１１ｗを含み、第２のパターン化材料１１ｗは、勾配エッジパターン１１ｇを形成するように構成されている。この図の右手側では黒色で示されるものの、一実施形態において、第２のパターン化材料１１ｗは、第２のパターン化材料１１ｗが正面側３１において見えないようにするために、照明デバイス１００の正面側３１の色に一致する色（例えば、拡散体１０の色、例えば白）を有する（図４Ａ〜図４Ｃも参照のこと）。所望の効果を達成するために、このパターンは完全に光遮蔽性である必要はない。所望の効果を示すために、この層は（十分なコントラスト比を有する）半透明であり得る。
【００３９】
図４Ａ〜図４Ｃは、パターン化層の概略断面図を示す。図４Ａは、環境光Ｌｅの拡散反射Ｌｒを示す。図４Ｂは、黒色又は他の光密層１１ｗによるデバイスにおける光漏れの吸収を示す。図４Ｃは、勾配エッジ１１ｇ内の主要光Ｌ０の通過Ｌｔ及び勾配エッジ１１ｇによる主要光Ｌ０の反射Ｌｒを示す。実際には、図４Ａ〜図４Ｃによって示されるプロセスは互いに組み合わせて生じ得る。一実施形態において、パターン化層１１は、透明フォイル１１ｆを含む。一実施形態において、勾配エッジパターン１１ｇは、照明デバイス１００の正面側３１とは反対側の、フォイルの裏側に印刷されている。図４Ｂを参照して記載されるように、勾配エッジパターン１１ｇは、例えば、第２のパターン化材料１１ｗに含まれ得る。加えて、これらの図は、この場合、第２のパターン化材料１１ｗ上の、デバイスの正面側３１とは反対側に、第１のパターン化材料１１ｂを示す。
【００４０】
図５は、光療法デバイス１０１の一実施形態の概略断面側面図を示す。一実施形態において、図１の照明デバイス１００は、光療法デバイス１０１を形成するか、又は光療法デバイス１０１に組み込まれる。光療法デバイスは、例えば、その用途によって特徴付けられ得る。一実施形態において、本明細書中に記載される照明デバイス１００は、照明デバイス１００の正面側３１から２０センチメートルの距離において５０００ルクス超の光強度を提供するように構成されている。この光強度は、例えば、デバイスの正面の特定の面積、例えば、１０平方センチメートル超、好ましくは５０平方センチメートル超、又は更には、例えば１００平方センチメートルの面積にわたって提供される。光療法デバイスの別のパラメータは、その波長又は帯域幅、例えば、青色及び／又は白色光であり得る。特定の光療法用途において、特定の周波数範囲の光が白色光に比してより効果的であり得ることが判明している。例えば、青色光のみを使用する場合、所望の効果を達成するのに必要な総光強度は低くなり得る。一実施形態において、本明細書中に記載される照明デバイスは、４６０〜４９０ナノメートルの間の波長範囲内の光を提供するように構成されている。更なる実施形態において、本明細書中に記載される照明デバイスは、４６０〜４９０ナノメートルの間の前記波長範囲内の光を提供するように構成されており、その光強度は、照明デバイス１００の正面側３１から５０センチメートルの距離において１００ルクス超（好ましくは２００ルクス超）である。ルクスは、人間の目によって認識される光の強度の測度、即ち、光度関数に従い重み付けされた各波長における仕事率であることに留意されたい。
【００４１】
一実施形態において、デバイスは、ヒートシンクプレート８を含む。ヒートシンクプレート８は、過剰な熱を、例えば、デバイスの裏側２０からの放射によって放散し得る。一実施形態において、デバイスは、例えば、デバイスの正面側、又はデバイスの別の場所、例えば、裏側２０に組み込まれた制御手段２３を含む。一実施形態において、デバイスは、例えば、デバイスをテーブル上面に置くための支持足２１を含む。当然、デバイスの所期の機能を犠牲にすることなく、本明細書中に記載される構成要素は省略され得、及び／又は他の構成要素が付加され得る。
【００４２】
図６Ａは、例えば、図５に示される領域「ＶＩ」又は別の照明デバイスの光源周囲の詳細断面側面図を示す。
【００４３】
一実施形態において、光ガイドプレート２は、光進入面２ａを含む。光進入面２ａは、光ガイドプレート２のエッジに配置され、光源１のエミッタ表面１ａに面する。光進入面２ａは、エミッタ表面１ａから入射光Ｌ０を受け取り、且つ受け取った入射光Ｌ０の少なくとも一部を、光進入面２ａを通じて、光ガイドプレート２の内部２ｂに送るように構成され、光ガイドプレート２は、光進入面２ａに垂直な前面２ｃを含み、光ガイドプレート２の内部２ｂは、光進入面２ａからの入射光Ｌ０の送られた部分を案内し、且つ光を前面２ｃ上に分配して、そこから照明デバイス１００の正面側３１に向かって放出させるように構成されている。
【００４４】
一実施形態において、光ガイドプレート２はエミッタ表面１ａから距離を置いて配置されており、光ガイドプレート２とエミッタ表面１ａとの間にはエアギャップ３がある。光チャンバとも呼ばれるエアギャップ３は、光源１による光ガイドプレート２の局所加熱を軽減する、即ち、低下／減少するのを補助し得る。エアギャップ３は、例えば、空気、他のガス又は更には真空を含み得る。エアギャップ３内に他の透明材料も想定され得る。或いは、例えば、加熱が該当しない場合、光源は光ガイドプレート２と直接接触した状態で配置され得る。効率を向上させるために、側部４ｃ、４ｄは反射性材料を含み得る。
【００４５】
一実施形態において、反射構造４は、光ガイドプレート２の背面２ｄも覆うように延びる。特に、この実施形態において、反射本体４は、光ガイドプレート２の背面２ｄを出る光を反射するように構成された裏側反射器表面４ｅを含む。複数の反射表面を１つの反射器本体に組み込むことによって、構造が簡略化され得る。或いは、反射表面４ｃ、４ｄ、４ｅのそれぞれが、別個の反射本体の一部であることが想定され得る。
【００４６】
一実施形態において、反射器の裏面４ｅと光ガイドプレート２の背面２ｄとの間に拡散反射器フォイル５が配置されている。拡散反射器５は、ある角度の反射光を反射するためだけでなく、拡散するためにも構成されている。このようにして、より均質な配光が実施され得、輝度向上フォイル６ｖ及び６ｈの有効性が向上する。代わりに又は加えて、また、反射器の裏面４ｅは、反射される光の角度に対する拡散効果を有し得る。例えば、反射器の裏面４ｅ及び／又は拡散反射器５は、反射光を散乱するために粗面を含み得る。
【００４７】
一実施形態において、輝度向上フォイル６ｖ、６ｈは、光ガイドプレート２の前面２ｃに配置されている。例えば、一実施形態において、フォイル６ｖは、出射光を水平方向にコリメートするように構成されている一方で、フォイル６ｈは、出射光を垂直方向にコリメートするように構成されている。コリメーションは、例えば、フォイル上の隆起によって実施され得る。フォイルの総合的な効果は、特に、デバイスの出力面の真正面で光の輝度が向上することであり得る。当然、フォイルは任意であり、省略されても他のコリメーティング構造と入れ替えられ得る。本実施形態において、フォイル６ｖの１つは、光源１の近傍に切取部６ｍを含む。これについては、以下、図７で説明される。
【００４８】
図６Ｂは、光療法デバイスの一実施形態の概略断面正面図を示す。この図は、例えば、光ガイドプレート２の範囲及び当該プレート２の光進入面２ａに対する光源１の配置を示す。光源は下部にのみ配置された状態で示されるが、その代わりに又は加えて、１つ以上の光源１が光ガイドプレート２の異なるエッジに配置される。光源は、別の場所にも配置され得る。また、光ガイドプレート２の使用は任意である。
【００４９】
図７Ａは、例えば、本明細書中に記載されるような輝度向上フォイル６ｖの概略実施形態を示す。一実施形態において、輝度向上フォイル６ｖは、光進入面２ａに垂直な前面２ｃに沿ってＺ方向に配置された垂直隆起の隆起構造を含む。隆起構造（例えば、図中の挿入物「ＢＥＦ」によって概略的に示される）は、例えば、送られた光を水平方向Ｙにコリメートするように構成されている。一実施形態において、光進入面２ａの側にある輝度向上フォイル６ｖのエッジは、切取部６ｍを含む。
【００５０】
一実施形態において、例えば、図６Ａに示されるように、第２の輝度向上フォイル６ｈが設けられる。第２の輝度向上フォイル６ｈは、光進入面２ａに垂直な前面２ｃに沿ってＹ方向に配置された水平隆起の隆起構造を含む。隆起構造（ここでは図示せず）は、例えば、送られた光を垂直方向Ｚにコリメートするように構成されている。一実施形態において、第１の輝度向上フォイル６ｖは切取部６ｍを含む一方で、第２の輝度向上フォイル６ｈは切取部６ｍを含まない。即ち、第２の輝度向上フォイル６ｈは真直のエッジを含む。第２の輝度向上フォイル６ｈにおいて、例えば、隆起の異なる方向のために、光レーンの発生はあまり顕著でないことが判明している。一実施形態において、第２の輝度向上フォイル６ｈは第１の輝度向上フォイル６ｖと光ガイドプレート２との間に配置され、光レーンの効果を更に低減する（例えば、図６Ａを参照のこと）。
【００５１】
一実施形態において、切取部６ｍは、光源のエミッタ表面１ａから最小（半径）距離Ｒ１に配置されている。例えば、一実施形態において、この距離は、前面２ｃに対し垂直に見ると、少なくとも５ミリメートル、例えば、１２ミリメートルである。この切取部は、円形であることが好ましい。その中心は必ずしもフォイルのエッジにある必要はなく、例えば、エミッタ表面１ａ又は光進入面２ａにあり得る。一実施形態において、切取部６ｍは、フォイル内に５ミリメートル超の距離Ｍ１にわたって、例えば、８ミリメートル又は９ミリメートル延びる。
【００５２】
図７Ｂは、デバイスの正面側からの見た目に対する切取部６ｍの効果を示す。左手側では、フォイルに切取部が適用されておらず、光源１近傍のディスプレイの下部に光レーンが明確に見える。右手側では、光レーンがあまり見えず／より良好にマスクされていることが分かり得る。光源近傍の光レーンをマスクするための輝度向上フォイル６ｖにおける切取部の適用は、本デバイスに限定されないことは理解されよう。例えば、これは、構造のエッジから光を受け取る光ガイド構造に対して輝度向上フォイルが配置される他の状況に適用され得る。例えば、この原理は、テレビ又は他のディスプレイスクリーンにも適用され得る。このような用途において、例えば、拡散体１０及び／又はパターン化層１１の１つ以上が省略され得る。
【００５３】
図８は、光療法デバイス１００の上部分の断面側面図（大半はＸＺ）を示す。この図には、光療法デバイス１００の一実施形態の一部であり得る種々の構成要素が見える。他の実施形態は、更なる若しくはより少数の構成要素並びに／又は異なる配置及び形状で含み得る。
【００５４】
図８に示される本図では、以下の構成要素、即ち、前部拡散トランスミッタ１０、パターン化フォイル１１、輝度向上フォイル６ｈ及び６ｖ、光ガイド２、拡散反射器フォイル５、反射器本体４、及びデバイスの裏側２０が（前から後に）示される。示される実施形態において、反射器本体は、前面側以外の全ての面、及びエアギャップ３が設けられる光源の位置に光ガイドプレート２を収容する。一実施形態において、構成要素４、５、２、６ｖ、６ｈの１つ以上を保持するためにクランプ構造２５が配置されている。一実施形態において、クランプ構造２５のエッジは、エッジ構造の周縁１５ｅを形成し、エッジによってパターン化層１１に光を投じる。
【００５５】
図９Ａ及び図９Ｂは、種々の光療法デバイスの実施形態の斜視図を示す。図９Ａは、青色ＬＥＤ光源を備える例示的なハイエンドデバイスを示す。この実施形態におけるデバイス１００は、前部１０と、後部２０と、支持足２１と、電源コードとを含む。当然、他の構成も可能である。図９Ｂは、この場合、白色ＬＥＤを備えて作動可能な光療法デバイスの別の例を示す。このデバイスは、例えば、より広い前部表面を有し得る。当然、均等な機能を提供する多くの異なる設計変化形態が可能である。概して、光療法デバイスは、特定の照射量の光を、かなりの目の快適性を有して送達し得ることが好ましい。効果的な治療となるには、光の少なくとも一部がスペクトルの青色部分にあることが好ましい。一実施形態において、照明デバイスは、デバイスの前面１０から２０センチメートルの距離において５０００ルクス超の光強度を提供するように構成されている。幾つかの用途において、更により高い強度、例えば、前記距離において１０，０００ルクス超が所望され得る。
【００５６】
明確且つ簡潔な説明のために、特徴は、同じ又は別個の実施形態の一部として本明細書中に記載されるが、本発明の範囲は、記載されている特徴の全て又は幾つかの組み合わせを有する実施形態を含み得ることは理解されよう。例えば、構成要素の特定の配置又は組み合わせを有する照明デバイスの実施形態が示される一方で、また、当業者には、同様の機能及び結果を達成するための、本開示の利点を有する別の態様が想定され得る。例えば、光学及び／又は電気構成要素は組み合わされても、１つ以上の代替的な構成要素に分割され得る。記載され且つ示された実施形態の種々の要素は、ディスプレイのエッジをマスキングするなどの特定の利点を提供する。当然、上記実施形態又はプロセスの何れか１つが１つ以上の他の実施形態又はプロセスと組み合わせられて、設計及び利点を見出すこと及び合致させることにおいて更に一層の改善をもたらし得ることは認識されるべきである。本開示は光療法デバイスの特定の利点を提供し、概して、照明される表面を提供するために、例えば、光ガイドプレートと併せて光源が使用される任意の用途に適用され得ることは認識される。
【００５７】
本システム及び方法が、その特定の例示的実施形態を参照して特に詳細に記載されてきたが、本開示の範囲から逸脱することなく多くの改良形態及び代替的な実施形態が当業者により考案され得ることも認識されるべきである。例えば、明記された方法若しくは機能を実施するために配置される及び／又は組み立てられるデバイス若しくはシステムが開示される実施形態は、方法若しくは機能を、そのように及び／又は方法若しくはシステムの他の開示される実施形態と組み合わせて本質的に開示する。更に、方法の実施形態は、それらの各ハードウェアにおける実装形態を、可能な場合には、方法又はシステムの他の開示される実施形態と組み合わせて本質的に開示するものと考えられる。更に、例えば、非一時的コンピュータ可読ストレージ媒体上にプログラム命令として組み入れられ得る方法は、こうした一実施形態として本質的に開示されるものと考えられる。
【００５８】
最後に、上記説明は、本システム及び／又は方法を単に説明すること目的とするものであり、添付の特許請求の範囲を任意の特定の実施形態又は実施形態の群に限定するものと解釈されるべきではない。本明細書及び図面は、従って、例示的な態様で考察されるべきであり、添付の請求項の範囲を限定することを意図するものではない。添付の特許請求の範囲の解釈において、「含む（comprising）」という語は、所与の請求項に記載されるもの以外の要素又は動作の存在を排除しないことは理解すべきである。要素に先行する「１つの（a）」又は「１つの（an）」という語は、複数のこうした要素の存在を排除しない。特許請求の範囲の任意の参照符号はそれらの範囲を限定するものではない。幾つかの「手段」は、同じ若しくは異なる物品又は実施される構造若しくは機能によって示され得る。具体的に明記されない限り、開示されるデバイス又はその一部の何れも、互いに組み合わせられても更なる部分に分解され得る。相互に異なる請求項に特定の施策が列挙されるという単なる事実は、これらの施策の組み合わせが効果的に使用され得ないことを示すものではない。特に、請求項のあらゆる有効な組み合わせは本質的に開示されていると見なされる。
【図１】
0006374085.tif 000002
【図２Ａ】
0006374085.tif 000003
【図２Ｂ】
0006374085.tif 000004
【図２Ｃ】
0006374085.tif 000005
【図３Ａ】
0006374085.tif 000006
【図３Ｂ】
0006374085.tif 000007
【図３Ｃ】
0006374085.tif 000008
【図４Ａ】
0006374085.tif 000009
【図４Ｂ】
0006374085.tif 000010
【図４Ｃ】
0006374085.tif 000011
【図５】
0006374085.tif 000012
【図６Ａ】
0006374085.tif 000013
【図６Ｂ】
0006374085.tif 000014
【図７Ａ】
0006374085.tif 000015
【図７Ｂ】
0006374085.tif 000016
【図８】
0006374085.tif 000017
【図９Ａ】
0006374085.tif 000018
【図９Ｂ】
0006374085.tif 000019